(57)【要約】      （修正有）【課題】釘打ちガンが釘切れ状態で撃発することを防止し、撃発装置および撃針等構造の空打ちにより損傷したり、または使用寿命が短縮したりすることを防ぐ釘打ちガンの空打ち防止構造を提供する。【解決手段】回転棒２０と制動片３０とが設けられ、その制動片３０と回転棒２０との組み合わせにより、釘箱内に釘がないまたは釘が使い切れた場合、嵌め当て片２３１は引き金１２の後側に当て付いて引き金１２の撃発を防止し、釘箱内に釘が入れられると制動片３０は外押しの力を受けて押しアームを外へ回転させ、かつ嵌め当て片２３１を引き金１２の後側から離脱させる釘打ちガンの空打ち防止構造である。【選択図】図１
0003103208.tif 000002
【実用新案登録請求の範囲】
【請求項１】
釘打ちガンの空打ち防止構造であって、
釘打ちガン本体（１０）は、その釘打ちガン本体（１０）の握り柄（１１）に引き金（１２）が設けられ、かつその釘打ちガン本体（１０）の前端には射出部（１３）が設けられ、その射出部（１３）の下側には釘箱（１４）が連通して設けられ、その中の釘箱（１４）の上端壁面には孔（１４１）が設けられ、かつその釘箱（１４）の側面には転軸部（１４２）が突き出して設けられており、その転軸部（１４２）には横溝（１４３）が設けられており、
回転棒（２０）は、軸部（２１）が設けられ、その軸部（２１）の中央には軸孔（２１１）が設けられ、その軸孔（２１１）にねじ棒（２１２）が通され、回転棒（２０）を横溝（１４３）に設け、かつその回転棒（２０）にはばね片（２４）が設けられ、釘箱（１４）の側壁対応個所にはばね（２４１）が設けられており、その中の回転棒（２０）の前端には押しアーム（２２）が設けられ、その押しアーム（２２）の前端には嵌め片（２２１）が曲がって設けられ、その嵌め片（２２１）には嵌め溝（２２２）が設けられており、その回転棒（２０）の後端は更に引き金（１２）の方向へ曲がり延伸して当てアーム（２３）が設けられ、かつその当てアーム（２３）の末端は曲がって当て片（２３１）を形成し、引き金（１２）の後側に延伸して当て付いており、
制動片（３０）は、可動に釘箱（１４）の孔（１４１）内に通され、その一側は可動な状態で回転棒（２０）の嵌め溝（２２２）内に嵌め込んで設けられ、その中の制動片（３０）にはほぞ（３１）が形成されて釘箱（１４）の内壁に突き出ていることを特徴とする釘打ちガンの空打ち防止構造。
【請求項２】
前記回転棒（２０）には延伸して押しアーム（２５）が設けられ、その押しアーム（２５）の端部は更に曲がって押しボタン（２５１）が形成されることを特徴とする請求項１に記載の釘打ちガンの空打ち防止構造。
【考案の詳細な説明】
【技術分野】
【０００１】
本考案は釘打ちガンの構造に関するもので、更に詳しく言えば、釘が切れた状態に於いて撃発を防ぐことができる安全装置のある釘ガン構造を指したものである。
【背景技術】
【０００２】
常用されている釘打ちガンはその釘打ちガン本体内の釘打ち装置の前端に射出部が設けられ、その射出部の下側に釘箱が連通して設けられ、その釘箱は釘の容納に供される。更にその釘打ち本体の握り柄部に引き金が設けられてあり、その引き金は釘打ちガン内の高圧空気の流れを制御することができ、それによって釘打ちガンの撃針の撃発を制御し、撃針の撃発力によって射出部内の釘を押し出して工作物内に打ち込む。
【０００３】
ところが、一般使用者が従来の釘打ちガンを使用して仕事をする場合、その多くは連続撃発であるが、使用者は現在釘箱内にある釘の数を知ることができない。そのために釘箱内の釘が使い切れた場合、使用者は釘切れの状態に於いて依然引き金を撃発し、甚だしくは数回撃発して箱内には確かに釘がないことを確かめ、それから新たに箱内に釘を装填する。ところが釘打ちガン自身の構造から言えば、撃針およびその他撃発装置が釘切れ状態で撃発された場合、それ自身の構造および使用寿命に対する影響は極めて大きく、甚だしくは損傷する可能もある。
【考案の開示】
【考案が解決しようとする課題】
【０００４】
本考案の目的は、釘打ちガンが釘切れ状態で撃発することを防止し、撃発装置および撃針等構造の空打ちにより損傷したり、または使用寿命が短縮したりすることを防ぐ釘打ちガンの空打ち防止構造を提供することである。
【課題を解決するための手段】
【０００５】
上記課題を解決するための本考案の釘打ちガンには回転棒と制動片とが設けられ、その制動片と回転棒との組み合わせにより、釘箱内に釘がないまたは釘が使い切れた場合、嵌め当て片は引き金の後側に当て付いて引き金の撃発を防止する。釘箱内に釘が入れられると制動片は外押しの力を受けて押しアームを外へ回転させ、かつ嵌め当て片を引き金の後側から離脱させる。
【０００６】
本考案はその制動片と回転棒との組み合わせを利用し、釘箱内に釘がないまたは釘が使い切れた場合、その回転棒の嵌め当て片は引き金の後側に当て付いて引き金の撃発を防止する。釘箱内に釘が入れられると、制動片は外押しの力を受けて押しアームを外へ回転させ、かつ嵌め当て片を引き金の後側から離脱させる。これにより、本考案は釘打ちガンが釘切れ状態に於いての撃発を確実に防止することができ、撃発装置および撃針等構造が空打ちしたために損傷したり、使用寿命が短縮したりすることがないよう確保する。
【考案を実施するための最良の形態】
【０００７】
図１から図３に示すように、本考案の一実施例による釘打ちガンの空打ち防止構造は、次のものを含む。
釘打ちガン本体１０、その釘打ちガン本体１０の握り柄１１には引き金１２が設けられ、かつそのガン本体１０の前端には射出部１３が設けられ、その射出部１３の下側には釘箱１４が連通して設けられている。その中の釘箱１４の上端壁面には孔１４１が設けられ、かつその釘箱１４の側面には転軸部１４２が突き出して設けられ、その転軸部１４２には横溝１４３が設けられている。
【０００８】
回転棒２０、その回転棒２０には軸部２１が設けられ、その軸部２１の中央には軸孔２１１が設けられ、その軸孔２１１にねじ棒２１２が通され、回転棒２０は横溝１４３に設けられる。その中の軸部２１の前端には押しアーム２２が設けられ、その押しアーム２２の前端には嵌め片２２１が曲がって設けられ、その嵌め片２２１には嵌め溝２２２が設けられている。その軸部２１の後端は更に引き金１２の方向へ曲がり延伸して嵌め当てアーム２３が設けられ、かつその嵌め当てアーム２３の末端は曲がって嵌め当て片２３１が形成され、引き金１２の後側に延伸して当て付いている。その中の回転棒２０にはばね片２４が設けられ、釘箱１４の側壁対応個所にはばね２４１が設けられ、それによって回転棒２０の弾性回復の力を提供する。また、その回転棒２０は延伸して押しアーム２５が設けられ、その押しアーム２５の端部は更に曲がって押しボタン２５１が形成される。
制動片３０、それは可動に釘箱１４の孔１４１内に通され、それの一側は可動な状態で回転棒２０の嵌め溝２２２内に嵌め込んで設けられ、その中の制動片３０にはほぞ３１が形成されて釘箱１４の内壁に突き出ている。
【０００９】
次に本実施例の作動原理について詳しく説明する。
図４に示すように、釘箱１４内に釘がない場合、その回転棒２０のばね当て片２４はばね２４１の弾性押さえ力を受け、その制動片３０を釘箱１４内の方向へ押し込み、この場合、嵌め当て片２３１は引き金１２の後側に当て付けている。これにより、釘箱１４内に釘がない場合、嵌め当て片２３１は自動的に引き金１２の後側に嵌め当たって回転棒２０は安全モードにあり、使用者は引き金１２を引くことができなく、釘打ちガンが釘切れ状態に於いての撃発を確実に防止することができ、かつ撃発装置および撃針等構造が空打ちしたために損傷したり、または使用寿命を短縮したりすることがないよう確保する。
【００１０】
釘箱１４内に釘が装填されると、釘箱内の釘押し機構１５は中に貯蔵されてある釘を持続的に射出部１３内に送り込み、釘が釘箱１４の頂端に押し込まれると図５に示すように釘は自動的に嵌めほぞ３１を釘箱１４から押し出し、かつ回転棒２０を回すように動かし、その嵌め当て片２３１も自動的に引き金１２の後側から脱出し、回転棒２０は自動的に自由撃発モードに切り替え、使用者は自由に引き金を引くことができ、釘箱１４内の釘を打ち出すことができる。
【００１１】
また、押しアーム２５および押しボタン２５１の設置により、釘箱内の最後の釘が射出部１３内に進入すると釘箱１４内にはその嵌めほぞを押し動かす釘がないので、回転棒２０はばね２４１の弾性押し付け力を受けて元の位置に復帰し、かつ嵌め当て片２３１を引き金１２の後側に当て付けて安全モードに復帰し、そのために最後の釘は撃発不能になる。この場合、使用者は手動で回転棒２０の押しボタン２５１を押して嵌め当て片２３１を脱出させ、手動に回転棒２０を自由撃発モードに切り替え、引き金を引いて撃発する。また釘箱１４内の釘が引っかかりまたは他の状況が発生した場合、使用者はその押しボタン２５１を利用して引き金を引くことができ、故障状態を排除することができる。
【００１２】
本実施例は回転棒２０と制動片３０との組み合わせを利用し、釘箱１４内に釘がない場合、その回転棒２０の嵌め当て片２３１は引き金１２の後側に嵌め当てて引き金１２の撃発を防止し、釘打ちガンが釘切れ状態での撃発を確実に防止することができ、撃発装置および撃針等構造が空打ちによって損害したり、または使用寿命が短縮したるすることがないよう確保する。かつその押しアーム２５および押しボタン２５１の設置は手動で切り替えて引き金を引くことができ、それによって最後の釘を撃発しまたは故障状況を排除することができる。
【図面の簡単な説明】
【００１３】
【図１】本考案の第一実施例による釘打ちガンの空打ち防止構造を示す分解斜視図である。
【図２】本考案の第一実施例による釘打ちガンの空打ち防止構造を示す外観斜視図である。
【図３】本考案の第一実施例による釘打ちガンの空打ち防止構造を示す外観斜視図である。
【図４】本考案の第一実施例による釘打ちガンの空打ち防止構造の釘切れ状態を示す断面図である。
【図５】本考案の第一実施例による釘打ちガンの空打ち防止構造の釘入れ状態を示す断面図である。
【符号の説明】
【００１４】
１０  釘打ちガン本体、１１  握り柄、１２  引き金、１３  射出部、１４  釘箱、１４１  孔、１４２  転軸部、１４３  横溝、１５  釘押し機構、２０  回転棒、２１  軸部、２１１  軸孔、２１２  ねじ棒、２２  押しアーム、２２１  嵌め片、２２２  嵌め溝、２３  嵌め当てアーム、２３１  嵌め当て片、２４  ばね当て片、２４１  ばね、２５  押しアーム、２５１  押しボタン、３０  制動片、３１  嵌めほぞ
【図１】
0003103208.tif 000003
【図２】
0003103208.tif 000004
【図３】
0003103208.tif 000005
【図４】
0003103208.tif 000006
【図５】
0003103208.tif 000007